(57)【要約】【課題】長大な道路橋用としてふさわしく、優れた耐荷力と耐久強度の荷重支持型伸縮装置を提供する。【解決手段】遊間（Ｓ）を挟んで平行に延在する起立フエイスプレート（５ａ）（５ｂ）並びに起立仕切りプレート（１７ａ）（１７ｂ）と、その前側位置のフエイスプレートを貫通して橋軸方向へ延在する多数の連立フィンガープレート（Ｆａ）（Ｆｂ）とから成り、仕切りプレートに固着されたフィンガープレートの後プレート片（１８ａ）（１８ｂ）と連続一枚物の延長プレートアンカー（２１ａ）（２１ｂ）を仕切りプレートから、フィンガープレートにおける少なくとも１個おきでの間引き状態として後向き一体的に張り出して、そのプレートアンカー同志の隣り合う左右相互間隔（Ｗ１）を床版（１）へ打ち込まれる差し筋アンカー（２９ａ）（２９ｂ）の「あき」が後打ちコンクリート（Ｃａ）（Ｃｂ）の粗骨材における最大寸法の４／３倍以上となるように広く確保した。【選択図】図１
2009150156.tif 000002
【特許請求の範囲】
【請求項１】
道路橋の遊間（Ｓ）を挟んで対立する位置関係として橋幅方向に沿い延在し、且つその下端部付近からほぼ水平な止水材受け台（６ａ）（６ｂ）が上記遊間（Ｓ）側への前向き一体的に張り出された一対の平行な起立フエイスプレート（５ａ）（５ｂ）と、
その各起立フエイスプレート（５ａ）（５ｂ）へ一定角度（θ）だけ交叉する貫通状態として組み付け一体化されることにより、二輪車のタイヤが嵌まり込まない狭幅な左右相互間隔（Ｗ）を保って橋軸方向に沿い延在する多数の平行な連立フィンガープレート（Ｆａ）（Ｆｂ）とから成り、
両起立フエイスプレート（５ａ）（５ｂ）の壁面から遊間（Ｓ）側への前向きに各々張り出す連立フィンガープレート（Ｆａ）（Ｆｂ）の前プレート片（９ａ）（９ｂ）同志を、その遊間（Ｓ）上での交互に噛み合う櫛形態としてオーバーラップさせると共に、その前プレート片（９ａ）（９ｂ）同志の隣り合う左右相互間へウレタンフォームなどの伸縮可能な止水材（１０）を悉く充填する一方、
両起立フエイスプレート（５ａ）（５ｂ）の壁面から反対側への後向きに各々張り出す連立フィンガープレート（Ｆａ）（Ｆｂ）の後プレート片（１８ａ）（１８ｂ）を、床版（１）の箱抜き凹所（Ｇ）へ後打ちコンクリート（Ｃａ）（Ｃｂ）により埋設一体化する道路橋の荷重支持型伸縮装置において、
各起立フエイスプレート（５ａ）（５ｂ）の背後位置へ起立仕切りプレート（１７ａ）（１７ｂ）を、その起立フエイスプレート（５ａ）（５ｂ）との一定な前後相互間隔（Ｄ）を保つ平行に延在させて、上記連立フィンガープレート（Ｆａ）（Ｆｂ）における後プレート片（１８ａ）（１８ｂ）の後端部をその各起立仕切りプレート（１７ａ）（１７ｂ）へ悉く取り付け固定すると共に、
各起立仕切りプレート（１７ａ）（１７ｂ）の壁面から上記連立フィンガープレート（Ｆａ）（Ｆｂ）における少なくとも１個おきでの広幅な左右相互間隔（Ｗ１）（Ｗ２）（Ｗ３）を保って、その後プレート片（１８ａ）（１８ｂ）と連続する一枚物である延長プレートアンカー（２１ａ）（２１ｂ）の複数又は後プレート片（１８ａ）（１８ｂ）と別個なスタッドアンカー（３１ａ）（３１ｂ）の複数を後向き一体的に張り出すことにより、
その延長プレートアンカー（２１ａ）（２１ｂ）同志又はスタッドアンカー（３１ａ）（３１ｂ）同志の隣り合う左右相互間隔（Ｗ１）（Ｗ２）（Ｗ３）を、その内部から床版（１）へ打ち込まれる差し筋アンカー（２９ａ）（２９ｂ）の「あき」が後打ちコンクリート（Ｃａ）（Ｃｂ）の粗骨材における最大寸法の４／３倍以上となるように広く確保したことを特徴とする道路橋の荷重支持型伸縮装置。
【請求項２】
各起立仕切りプレート（１７ａ）（１７ｂ）の壁面から連立フィンガープレート（Ｆａ）（Ｆｂ）における少なくとも２個おきでの広幅な左右相互間隔（Ｗ２）を保って、その後プレート片（１８ａ）（１８ｂ）と連続する一枚物である複数の延長プレートアンカー（２１ａ）（２１ｂ）を後向き一体的に張り出すと共に、
その延長プレートアンカー（２１ａ）（２１ｂ）同志の隣り合う左右相互間に介在する少なくとも１本の補強用追加スタッドアンカー（３０ａ）（３０ｂ）を、上記起立仕切りプレート（１７ａ）（１７ｂ）の壁面から後向き一体的に張り出したことを特徴とする請求項１記載の道路橋の荷重支持型伸縮装置。
【請求項３】
橋幅方向に沿って横架されるほぼ水平な組立鉄筋（２５ａ）（２５ｂ）を下方から受け止め支持すべく、延長プレートアンカー（２１ａ）（２１ｂ）の上端縁と補強用追加スタッドアンカー（３０ａ）（３０ｂ）の上端縁とをほぼ同等高さ（Ｙ）となるように設置したことを特徴とする請求項２記載の道路橋の荷重支持型伸縮装置。
【請求項４】
各連立フィンガープレート（Ｆａ）（Ｆｂ）の後プレート片（１８ａ）（１８ｂ）へ、少なくとも１本の埋込みアンカーとなる補強板（３８ａ）（３８ｂ）又は補強棒（２０ａ）（２０ｂ）を組み付け横架させると共に、
各起立フエイスプレート（５ａ）（５ｂ）と各起立仕切りプレート（１７ａ）（１７ｂ）との前後相互間へ、後打ちコンクリート（Ｃａ）（Ｃｂ）を打設することを特徴とする請求項１記載の道路橋の荷重支持型伸縮装置。
【請求項５】
各連立フィンガープレート（Ｆａ）（Ｆｂ）における前プレート片（９ａ）（９ｂ）の上端縁のみならず、その後プレート片（１８ａ）（１８ｂ）の上端縁も路面として表出させると共に、
各起立仕切りプレート（１７ａ）（１７ｂ）の壁面から除雪作業車の刃先逃し用となる誘導プレート（３３）の複数を、後向き一体的に張り出したことを特徴とする請求項１記載の道路橋の荷重支持型伸縮装置。
【請求項６】
両起立フエイスプレート（５ａ）（５ｂ）から遊間（Ｓ）側への前向き一体的に張り出す止水材受け台（６ａ）（６ｂ）同志を、上記遊間（Ｓ）上でのオーバーラップする状態に保ち且つその相互間に一定の高低段差（Ｚ）を与えたことを特徴とする請求項１記載の道路橋の荷重支持型伸縮装置。
【請求項７】
各連立フィンガープレート（Ｆａ）（Ｆｂ）の前プレート片（９ａ）（９ｂ）を、その上端縁から路面となる天井フランジ（３４ａ）（３４ｂ）が左右両側又は片側への横向き一体的に張り出すと共に、各起立フエイスプレート（５ａ）（５ｂ）の止水材受け台（６ａ）（６ｂ）よりも前向きに長く張り出す先端部の下端縁から止水材受けとなる床フランジ（３５ａ）（３５ｂ）が左右両側への横向き一体的に張り出す全体的な断面ほぼエ字形又はほぼユ字形に造形したことを特徴とする請求項１記載の道路橋の荷重支持型伸縮装置。
【請求項８】
各連立フィンガープレート（Ｆａ）（Ｆｂ）の前プレート片（９ａ）（９ｂ）が各起立フエイスプレート（５ａ）（５ｂ）の止水材受け台（６ａ）（６ｂ）よりも前向きに長く張り出す先端部の下端縁だけを、その止水材受け台（６ａ）（６ｂ）よりも一定高さ（Ｈ）だけ浮上する設置状態に保ち、
その浮上した先端部の下端縁から止水材受けとなる床フランジ（３５ａ）（３５ｂ）を左右両側への横向き一体的に張り出すと共に、
上記止水材受け台（６ａ）（６ｂ）から遊間（Ｓ）の内部に沿って横架する弾性の止水材受けベルト（１２）を吊り下げたことを特徴とする請求項１記載の道路橋の荷重支持型伸縮装置。
【請求項９】
橋幅方向に沿い延在する起立フエイスプレート（５ａ）（５ｂ）並びに起立仕切りプレート（１７ａ）（１７ｂ）と、橋軸方向に沿い延在する連立フィンガープレート（Ｆａ）（Ｆｂ）とを斜橋用として、非直角の一定角度（θ）だけ交叉させたことを特徴とする請求項１記載の道路橋の荷重支持型伸縮装置。
【発明の詳細な説明】
【技術分野】
【０００１】
本発明は道路橋の荷重支持型伸縮装置に係り、殊更遊間（継ぎ目）の伸縮量として約１５０〜６００mmを必要とする長大な道路橋に適用するも、優れた耐荷力と耐久性並びに止水効果を得られるように工夫したものである。
【背景技術】
【０００２】
遊間（継ぎ目）の伸縮量が約１５０mm以上の長大橋にふさわしい「フィンガージョイント」と称する荷重支持型伸縮装置については、特公平２−１６８０５号公報や特許第２６６９８０２号公報、特開２００５−１０５６７０号公報などに記載されている。
【０００３】
そのうち、特開２００５−１０５６７０号公報に記載された伸縮装置が、継ぎ目遊間（Ｘ）上での櫛形態として交互に噛み合いオーバーラップするフィンガー前部（４ａ）（５ａ）同志の上縁部に、水平な張り出し縁部（４ｃ）（５ｃ）を各々具備している点、又そのフィンガー前部（４ａ）（５ａ）の側面とウエブ板（２）（３）とから囲まれた噛み合い空隙部に、ゴム状物質（７）の止水材を保有している点、更にウエブ板（２）（３）同志の受け板（２ａ）（３ａ）から継ぎ目遊間（Ｘ）へ吊り下がる止水用シール部材（２１）の内部に、弾性体（２４）が充填されている点で、本発明に最も近似する公知技術であると考えられる。
【特許文献１】特公平２−１６８０５号公報
【特許文献２】特許第２６６９８０２号公報
【特許文献３】特開２００５−１０５６７０号公報
【発明の開示】
【発明が解決しようとする課題】
【０００４】
上記特開２００５−１０５６７０号に係る公知発明では、二輪車のタイヤがフィンガー前部（４ａ）（５ａ）同志の噛み合い空隙部へ嵌まり込む危険性を回避するために、１０〜２０mmの基本的な板厚を有する連続一枚物として、各々垂直なウエブ板（２）（３）へ直交する貫通状態に固着一体化されたフィンガー主体（４）（５）が、５０mmの間隔（中心間距離）を保って平行に配列されている関係上（段落〔００２０〕、〔００２７〕を参照）、その後打ちコンクリートにより埋設されるフィンガー後部（４ｂ）（５ｂ）も同じ１０〜２０mmの板厚として、やはり５０mmの間隔を保って平行に延長することとなる。
【０００５】
そうすると、平行なフィンガー後部（４ｂ）（５ｂ）同志の隣り合う相互間（５０mm）から、床版（２０）の埋設鉄筋（２３）が予じめ起立していたり、又そのフィンガー後部（４ｂ）（５ｂ）と干渉する埋設鉄筋（２３）を切断して、これに代る差し筋アンカーを上記５０mmの相互間から床版（２０）へ打ち込んだりした場合に、その差し筋アンカーの太さを今１６mmと仮定して言えば、これと上記フィンガー後部（４ｂ）（５ｂ）との隣り合う相互間隔は、狭小な１７mmとなってしまい、使用される後打ちコンクリートにおける２５mmの最大寸法を備えた粗骨材が、上記差し筋アンカーの周囲に充分行きわたらず、コンクリート標準示方書の規定要件に違反する。
【０００６】
橋梁上部工の鉄筋コンクリート場所打ちスラブに適用する骨材の最大寸法としては、２５mmであることが標準化されており（出典：設計便覧、第１編土木工事共通編、近畿他方整備局・Ｈ１６．４）、又コンクリート標準示方書〔構造性能照査編〕には「鉄筋のあき」について、「はりにおける軸方向鉄筋の水平のあきは、２０mm以上、粗骨材の最大寸法の４／３倍以上、鉄筋の直径以上としなければならない。また、コンクリートの締固めに用いる内部振動機を挿入できるように、水平のあきを確保しなければならない。」と規定されているにも拘らずである。
【０００７】
その結果、フィンガー主体（４）（５）がウエブ板（２）（３）の下端部を回動支点として前下がりに撓もうとする曲げモーメント（引き抜き力）に対し、効果的な抵抗力が発揮される後打ちコンクリートの正常な締固め状態を得られず、伸縮装置としての耐荷強度や耐久性が低下するのであり、致命的な欠陥となる。
【０００８】
まして、フィンガー後部（４ｂ）（５ｂ）同志の隣り合う相互間に介在する支持鉄筋（６）（６）を、ウエブ板（２）（３）から後向き一体的に張り出し形成した場合（段落〔００２６〕を参照）、その支持鉄筋（８６）（６）とフィンガー後部（４ｂ）（５ｂ）との隣り合う相互間隔は、ますます狭小となって、床版（２０）の埋設鉄筋（２３）と必らずや干渉するため、その埋設鉄筋（２３）をいたずらに数多く切断しなければならず、床版（２０）の著しい強度低下を招くのであり、更にこれを切断しても、その代りの差し筋アンカーを床版（２０）へ効果的に打ち込むことができず、上記致命的な欠陥が一層顕著に発生してしまうことになる。
【０００９】
又、同じく特開２００５−１０５６７０号に係る公知発明では、上記フィンガー前部（４ａ）（５ａ）同志の噛み合い空隙部に充填されたゴム状物質（７）と、その下部に対応位置する止水用シール部材（２１）の弾性体（２４）とから、言わば重畳的な止水構造が形作られているとしても、上記フィンガー前部（４ａ）（５ａ）は上縁部だけに水平な張り出し縁部（４ｃ）（５ｃ）を備えた断面Ｔ字形として、そのフィンガー前部（４ａ）（５ａ）同志の交互にオーバーラップする中央位置が、下向き全開状態に放任されているため、路面から泥水や土砂などの繰り返し進入を受けると、その堆積重量によりゴム状物質（７）と延いてはシール部材（２１）の弾性体（２４）とが、ジョイント部材（Ｊ１）（Ｊ２）から継ぎ目遊間（Ｘ）へ容易に抜け落ちてしまうこととなり、止水効果を耐用的に維持することができない問題もある。
【課題を解決するための手段】
【００１０】
本発明はこのような課題の改良を目的としており、その目的を達成するために、請求項１では道路橋の遊間を挟んで対立する位置関係として橋幅方向に沿い延在し、且つその下端部付近からほぼ水平な止水材受け台が上記遊間側への前向き一体的に張り出された一対の平行な起立フエイスプレートと、
【００１１】
その各起立フエイスプレートへ一定角度だけ交叉する貫通状態として組み付け一体化されることにより、二輪車のタイヤが嵌まり込まない狭幅な左右相互間隔を保って橋軸方向に沿い延在する多数の平行な連立フィンガープレートとから成り、
【００１２】
両起立フエイスプレートの壁面から遊間側への前向きに各々張り出す連立フィンガープレートの前プレート片同志を、その遊間上での交互に噛み合う櫛形態としてオーバーラップさせると共に、その前プレート片同志の隣り合う左右相互間へウレタンフォームなどの伸縮可能な止水材を悉く充填する一方、
【００１３】
両起立フエイスプレートの壁面から反対側への後向きに各々張り出す連立フィンガープレートの後プレート片を、床版の箱抜き凹所へ後打ちコンクリートにより埋設一体化する道路橋の荷重支持型伸縮装置において、
【００１４】
各起立フエイスプレートの背後位置へ起立仕切りプレートを、その起立フエイスプレートとの一定な前後相互間隔を保つ平行に延在させて、上記連立フィンガープレートにおける後プレート片の後端部をその各起立仕切りプレートへ悉く取り付け固定すると共に、
【００１５】
各起立仕切りプレートの壁面から上記連立フィンガープレートにおける少なくとも１個おきでの広幅な左右相互間隔を保って、その後プレート片と連続する一枚物である延長プレートアンカーの複数又は後プレート片と別個なスタッドアンカーの複数を後向き一体的に張り出すことにより、
【００１６】
その延長プレートアンカー同志又はスタッドアンカー同志の隣り合う左右相互間隔を、その内部から床版へ打ち込まれる差し筋アンカーの「あき」が後打ちコンクリートの粗骨材における最大寸法の４／３倍以上となるように広く確保したことを特徴とする。
【００１７】
又、請求項２では各起立仕切りプレートの壁面から連立フィンガープレートにおける少なくとも２個おきでの広幅な左右相互間隔を保って、その後プレート片と連続する一枚物である複数の延長プレートアンカーを後向き一体的に張り出すと共に、
【００１８】
その延長プレートアンカー同志の隣り合う左右相互間に介在する少なくとも１本の補強用追加スタッドアンカーを、上記起立仕切りプレートの壁面から後向き一体的に張り出したことを特徴とする。
【００１９】
請求項３では橋幅方向に沿って横架されるほぼ水平な組立鉄筋を下方から受け止め支持すべく、延長プレートアンカーの上端縁と補強用追加スタッドアンカーの上端縁とをほぼ同等高さとなるように設置したことを特徴とする。
【００２０】
請求項４では各連立フィンガープレートの後プレート片へ、少なくとも１本の埋込みアンカーとなる補強板又は補強棒を組み付け横架させると共に、
【００２１】
各起立フエイスプレートと各起立仕切りプレートとの前後相互間へ、後打ちコンクリートを打設することを特徴とする。
【００２２】
請求項５では各連立フィンガープレートにおける前プレート片の上端縁のみならず、その後プレート片の上端縁も路面として表出させると共に、
【００２３】
各起立仕切りプレートの壁面から除雪作業車の刃先逃し用となる誘導プレートの複数を、後向き一体的に張り出したことを特徴とする。
【００２４】
請求項６では両起立フエイスプレートから遊間側への前向き一体的に張り出す止水材受け台同志を、上記遊間上でのオーバーラップする状態に保ち且つその相互間に一定の高低段差を与えたことを特徴とする。
【００２５】
請求項７では各連立フィンガープレートの前プレート片を、その上端縁から路面となる天井フランジが左右両側又は片側への横向き一体的に張り出すと共に、各起立フエイスプレートの止水材受け台よりも前向きに長く張り出す先端部の下端縁から止水材受けとなる床フランジが左右両側への横向き一体的に張り出す全体的な断面ほぼエ字形又はほぼユ字形に造形したことを特徴とする。
【００２６】
請求項８では各連立フィンガープレートの前プレート片が各起立フエイスプレートの止水材受け台よりも前向きに長く張り出す先端部の下端縁だけを、その止水材受け台よりも一定高さだけ浮上する設置状態に保ち、
【００２７】
その浮上した先端部の下端縁から止水材受けとなる床フランジを左右両側への横向き一体的に張り出すと共に、
【００２８】
上記止水材受け台から遊間の内部に沿って横架する弾性の止水材受けベルトを吊り下げたことを特徴とする。
【００２９】
更に、請求項９では橋幅方向に沿い延在する起立フエイスプレート並びに起立仕切りプレートと、橋軸方向に沿い延在する連立フィンガープレートとを斜橋用として、非直角の一定角度だけ交叉させたことを特徴とする。
【発明の効果】
【００３０】
請求項１の構成によれば、橋幅方向に沿って起立フエイスプレートと平行に延在する起立仕切りプレートの壁面から、後向き一体的に張り出された複数の延長プレートアンカー同志又は別個なスタッドアンカー同志の隣り合う左右相互間隔を、その内部から床版へ打ち込まれる差し筋アンカーの「あき」が、後打ちコンクリートの粗骨材における最大寸法の４／３倍以上となるように広く確保しているため、冒頭に述べたコンクリート標準示方書の規定要件を満足し、その内部へ確実に挿入できる振動機により、上記差し筋アンカーの周囲へ後打ちコンクリートを支障なく廻り込み浸透させて、その後打ちコンクリートの正常な締固め状態と、延いては伸縮装置としての優れた耐荷強度や耐久性を得られる効果がある。
【００３１】
つまり、連立フィンガープレートにおける前プレート片同志の隣り合う左右相互間隔を、二輪車のタイヤが嵌まり込まない狭幅な５０mm、上記差し筋アンカーの太さを１６mm、後打ちコンクリートにおける粗骨材の最大寸法を２５mmであると仮定して、冒頭に述べた公知発明のそれらと同じ条件・基準のもとで比較した場合、本願請求項１に係る発明の構成ではその差し筋アンカーの周囲に、上記粗骨材の最大寸法（２５mm）の４／３倍以上となる３４mmの「あき」が確保されるため、上記効果を達成できるのである。
【００３２】
その際、床版の箱抜き凹所へ後打ちコンクリートにより埋設一体化されることとなる上記延長プレートアンカー又はスタッドアンカーは、連立フィンガープレートにおける少なくとも１個おきでの広幅な左右相互間隔を保っており、その連立フィンガープレートを形作っている前プレート片並びに後プレート片との配列関係上、これらを言わば間引きした状態として個数が減少しているため、物理的な強度の低下するおそれなしとしないが、上記連立フィンガープレートは前プレート片と後プレート片との連続一枚物として、起立フエイスプレートへ貫通する状態に組み付け一体化されており、しかもその後プレート片の後端部が起立フエイスプレートと平行な起立仕切りプレートに取り付け固定されている。
【００３３】
その結果、起立フエイスプレートと起立仕切りプレートとの前後相互間へ、後打ちコンクリートが打設されることとも相俟って、上記物理的な強度の低下を招くおそれはなく、連立フィンガープレートが路面からの輪荷重を受けることにより、その起立フエイスプレートの下端部を回動支点として前下がりに撓もうとする曲げモーメント（引き抜き力）に対し、効果的な抵抗力を発揮させることができる。
【００３４】
そして、このような効果の達成については、起立フエイスプレートの背後に位置する起立仕切りプレートの下端部が、その起立フエイスプレートの下端部と平行に延在する言わば２本脚として、連立フィンガープレートを支持していることも有機的に働くこととなり、その意味でも伸縮装置の耐荷力と耐久性が著しく向上するのである。
【００３５】
特に、請求項２の構成を採用することにより、起立仕切りプレートから後向き一体的に張り出す複数の延長プレートアンカーを、例えば連立フィンガープレートにおける２個おきでの広幅な左右相互間隔に保って、その内部へ１本のほぼ水平な補強用追加スタッドアンカーと、２列に点在分布するほぼ垂直な差し筋アンカーとを配列設置したり、又同じく複数の延長プレートアンカーを例えば連立フィンガープレートにおける３個おきでの一層広幅な左右相互間隔に保って、その内部へ２本のほぼ水平な補強用追加スタッドアンカーと、３列に点在分布するほぼ垂直な差し筋アンカーとを配列設置したりするならば、床版の箱抜き凹所をいたづらに深く刳り取ることもなく、その遊間における伸縮量の大小変化に応じた伸縮装置としての耐荷強度や耐久性を得られる効果があり、このような効果の達成については上記延長プレートアンカーが連立フィンガープレート自身の一部として、その前・後プレート片との連続１枚物であることも相乗的に働くこととなる。
【００３６】
その場合、請求項３の構成を採用するならば、連立フィンガープレートの延長プレートアンカーと補強用追加スタッドアンカーへ、上方からほぼ水平状態に自づと横架される組立鉄筋と、ほぼ垂直な差し筋アンカーとをすばやく確実に交叉させることができ、その施工現場での組立作業性が著しく向上する。
【００３７】
又、請求項４の構成を採用するならば、連立フィンガープレートの後プレート片同志をその補強板の設置による格子形態又は補強棒の串刺し貫通によって、高剛性に組立一体化することができ、しかも上記補強板又は補強棒を起立フエイスプレートと起立仕切りプレートとの前後相互間へ打設される後打ちコンクリートの埋設アンカーとして、上記連立フィンガープレートが前下がりに撓もうとする曲げモーメントに対し、効果的な抵抗力を発揮させることにも寄与する。
【００３８】
請求項５の構成を採用するならば、その複数の誘導プレートによって、除雪作業車の刃先を逃がし保護することができ、このような誘導プレートは起立仕切りプレートにおける壁面の上部位置から後向き一体的に張り出す限り、延長プレートアンカーの上端縁に取り付け固定しても良く、又その連立フィンガープレートの延長プレートアンカー同志や別個なスタッドアンカー同志の隣り合う左右相互間へ介在させてもさしつかえない。
【００３９】
請求項６の構成を採用するならば、連立フィンガープレートにおける前プレート片同志の左右相互間へ充填された止水材を、その両起立フエイスプレートからオーバーラップ状態に張り出す止水材受け台によって、その中央部から遊間へ抜け落ちることなく保持することができ、冒頭に述べた公知発明の課題が解消されるほか、その遊間が夏期に狭く収縮しても、上記止水材受け台同志の衝突するおそれがない。
【００４０】
更に、請求項７の構成を採用するならば、全体的な断面ほぼエ字形又はほぼユ字形に造形された前プレート片の床フランジにより、止水材が遊間へ抜け落ちるおそれを防止できる一方、その止水材が路面へ盛り上がるおそれを、同じく前プレート片の天井フランジにより防止でき、しかもその天井フランジにより路面を広幅に拡大し得る効果もある。
【００４１】
請求項８の構成を採用するならば、連立フィンガープレートにおける前プレート片同志の左右相互間へ充填された止水材が、遊間へ抜け落ちるおそれを、その起立フエイスプレートから張り出す止水材受け台と、上記前プレート片の床フランジと、更に止水材受け台から吊り下がる止水材受けベルトとによって、完全に防止することができ、しかも遊間が夏期に狭く収縮しても、その一方の起立フエイスプレートから張り出す連立フィンガープレートの前プレート片と、他方の起立フエイスプレートから張り出す止水材受け台とが互いに衝突・破損するおそれはない。
【００４２】
請求項９の構成を採用するならば、起立フエイスプレート並びに起立仕切りプレートと、連立フィンガープレートとの一定角度が直角な通常の道路橋のみならず、その一定角度を非直角な交叉状態として、特殊な斜橋にも本発明を容易に適用できる効果がある。
【発明を実施するための最良の形態】
【００４３】
以下、図面に基いて本発明の具体的構成を詳述すると、図１〜７は本発明の第１実施形態として、約２００〜６００mmの許容伸縮量並びに約３６０〜９６０mmの適用標準遊間を有する仕様の荷重支持型伸縮装置と、その道路橋におけるコンクリート床版（橋桁）（１）同志の遊間（継ぎ目）（Ｓ）に跨がる施工状態を示している。
【００４４】
但し、後述の図２１、２７に示唆する如く、コンクリート床版（橋桁）（１）と橋台（２）との相互間に介在する遊間（Ｓ）へ、同様に跨がる状態として施工されることも勿論あり得る。両図の符号（３）は鋼製の主桁、（４）はシュー（支承）である。
【００４５】
（５ａ）（５ｂ）は道路橋の遊間（床版遊間）（Ｓ）を挟んで対立する位置関係として、その橋幅方向に沿い一定の単位長さ（一車線分）（例えば約１５００〜２０００mm）だけ延在する一対の平行な起立フエイスプレートであり、例えば約１６mmの厚みと約１２０〜２２０mmの背丈を備えた鋼板（フラットバー）から成る。
【００４６】
（６ａ）（６ｂ）は各起立フエイスプレート（５ａ）（５ｂ）の下端部付近へ溶接されることにより、その起立フエイスプレート（５ａ）（５ｂ）の壁面から遊間（Ｓ）側への前向き一体的に張り出すほぼ水平な止水材受け台であって、これも約１６mmの厚みを有する鋼板から成る。
【００４７】
両起立フエイスプレート（５ａ）（５ｂ）の同等高さ位置から相互の近づき合う前方へ張り出し並列された止水材受け台（６ａ）（６ｂ）の一対により、後述の止水材を下方から受け持つようになっているのである。両起立フエイスプレート（５ａ）（５ｂ）の下端部は施工状態において、床版（１）への脚座（７ａ）（７ｂ）として機能する。
【００４８】
又、（Ｆａ）（Ｆｂ）は各起立フエイスプレート（５ａ）（５ｂ）へ一定角度（θ）（約９０度）だけ交叉する貫通状態として組み付け一体化されることにより、二輪車のタイヤが嵌まり込まない狭幅な一定の左右相互間隔（Ｗ）（例えば約５０mm）を保って、橋軸方向に沿い延在する多数の平行な連立フィンガープレートであり、約２５〜３５mmの厚みと約５７０〜６４０mmの長さを備えた高剛性の鋼板から成る。
【００４９】
つまり、各起立フエイスプレート（５ａ）（５ｂ）には図４のような止水材受け台（６ａ）（６ｂ）まで到達する一定深さの連立フィンガープレート受け入れ用凹欠（８ａ）（８ｂ）が、上記一定の左右相互間隔（Ｗ）を保って対応形成されており、ここへ各々差し込み貫通された連立フィンガープレート（Ｆａ）（Ｆｂ）が、その起立フエイスプレート（５ａ）（５ｂ）との交叉部において悉く溶接されているのである。
【００５０】
しかも、各起立フエイスプレート（５ａ）（５ｂ）の壁面から上記遊間（Ｓ）側への前向きに張り出す連立フィンガープレート（Ｆａ）（Ｆｂ）の前プレート片（９ａ）（９ｂ）同志は、その遊間（Ｓ）上での交互に噛み合う櫛形態として、一定量（Ｘ）（例えば約２１０〜２２０mm）だけオーバーラップされている。
【００５１】
両起立フエイスプレート（５ａ）（５ｂ）の壁面から相互の近づき合う前方へ張り出された連立フィンガープレート（Ｆａ）（Ｆｂ）の前プレート片（９ａ）（９ｂ）同志が、一定の間隙（約７．５〜１２．５mm）を保って噛み合わされているのである。
【００５２】
又、連立フィンガープレート（Ｆａ）（Ｆｂ）における前プレート片（９ａ）（９ｂ）の下端縁は上記起立フエイスプレート（５ａ）（５ｂ）のほぼ水平な止水材受け台（６ａ）（６ｂ）へ各々載架した状態として、その止水材受け台（６ａ）（６ｂ）と悉く溶接されてもいる。
【００５３】
その場合、連立フィンガープレート（Ｆａ）（Ｆｂ）の前プレート片（９ａ）（９ｂ）が上記止水材受け台（６ａ）（６ｂ）よりも前向きに長く張り出す先端部の下端縁だけを、その止水材受け台（６ａ）（６ｂ）よりも一定高さ（Ｈ）（例えば約２５〜３５mm）だけ浮上する設置状態に保つことが好ましい。
【００５４】
そうすれば、道路橋の遊間（Ｓ）が夏期に狭く収縮しても、その一方の起立フエイスプレート（５ａ）（５ｂ）から張り出す連立フィンガープレート（Ｆａ）（Ｆｂ）の前プレート片（９ａ）（９ｂ）と、他方の起立フエイスプレート（５ａ）（５ｂ）から張り出す止水材受け台（６ａ）（６ｂ）とが、互いに衝突するおそれを確実に予防できるのである。
【００５５】
尚、各起立フエイスプレート（５ａ）（５ｂ）と連立フィンガープレート（Ｆａ）（Ｆｂ）とを、その後者が前者に貫通する一定角度（θ）の交叉状態として組み付ける場合、上記起立フエイスプレート（５ａ）（５ｂ）の連立フィンガープレート受け入れ用凹欠（８ａ）（８ｂ）と咬み合う起立フエイスプレート受け入れ用凹欠（図示省略）を、連立フィンガープレート（Ｆａ）（Ｆｂ）に倒立Ｕ字形として対応形成することにより、その両者を咬み合う状態に組み付けて、やはり交叉部を悉く溶接しても良い。
【００５６】
何れにしても、上記連立フィンガープレート（Ｆａ）（Ｆｂ）における前プレート片（９ａ）（９ｂ）同志の隣り合う左右相互間には、上方からウレタンフォームやスタイロフォーム、常温加流型の液状ゴムなどの伸縮可能な弾力性止水材（１０）が、予じめの圧縮状態に充填されており、道路橋の遊間（Ｓ）が冬期に広く伸張しても、その遊間（Ｓ）の確実な１次止水作用を果すようになっている。その止水材（１０）を両起立フエイスプレート（５ａ）（５ｂ）の止水材受け台（６ａ）（６ｂ）によって、下方から受け持っていることは既述のとおりである。
【００５７】
その際、連立フィンガープレート（Ｆａ）（Ｆｂ）における前プレート片（９ａ）（９ｂ）の前端縁を、図２のような下向きに拡開する傾斜面（１１ａ）（１１ｂ）として、これにより上記止水材（１０）を遊間（Ｓ）の狭く収縮する夏期に、路面から盛り上がらないように制止することが望ましい。又、同様な趣旨の凹溝や切り目（図示省略）をその止水材（１０）の表出面（上面）に付与しても良い。
【００５８】
（１２）は両起立フエイスプレート（５ａ）（５ｂ）の止水材受け台（６ａ）（６ｂ）から吊り下げられたゴムなどの弾性止水材受けベルトであって、上記遊間（Ｓ）の内部に沿って横架しており、そのため上記止水材（１０）が止水材受け台（６ａ）（６ｂ）同志の向かい合う相互間から、遊間（Ｓ）へ抜け落ちてしまうおそれはない。
【００５９】
（１３ａ）（１３ｂ）は上記止水材受け台（６ａ）（６ｂ）との対応的に延在する向かい合う一対のベルト支持ステーであって、アングル形鋼から成り、そのほぼ水平片が点在分布する複数のネジ締結具（１４ａ）（１４ｂ）を介して、両止水材受け台（６ａ）（６ｂ）へ取り付け固定されている一方、残る垂直片に上記止水材受けベルト（１２）の上端部が、帯状の押えプレート（１５ａ）（１５ｂ）と点在分布するネジ締結具（１６ａ）（１６ｂ）との複数づつによって挟み付け固定されている。
【００６０】
その場合、両起立フエイスプレート（５ａ）（５ｂ）の止水材受け台（６ａ）（６ｂ）よりも上段位置へ１層の１次止水材（１０）と、これよりも下段位置の止水材受けベルト（１２）へ別個な１層の２次止水材（１０）とを各々充填して、その重畳的な止水作用を営ませることも可能である。
【００６１】
（１７ａ）（１７ｂ）は各起立フエイスプレート（５ａ）（５ｂ）の背後位置へ、その起立フエイスプレート（５ａ）（５ｂ）との一定な前後相互間隔（Ｄ）（例えば約１５０〜２００mm）を保って、平行に延在された起立仕切りプレートであり、これも上記起立フエイスプレート（５ａ）（５ｂ）と同じ厚み（約１６mm）の鋼板から成る。
【００６２】
そして、その各起立仕切りプレート（１７ａ）（１７ｂ）の壁面から上記遊間（Ｓ）と反対側への後向きに張り出す連立フィンガープレート（Ｆａ）（Ｆｂ）の後プレート片（１８ａ）（１８ｂ）が、その起立仕切りプレート（１７ａ）（１７ｂ）へ悉く取り付け固定されている。
【００６３】
つまり、上記連立フィンガープレート（Ｆａ）（Ｆｂ）の後プレート片（１８ａ）（１８ｂ）は両起立フエイスプレート（５ａ）（５ｂ）から、相互の離反する背後方向へ一体的に張り出しており、その後端部において起立仕切りプレート（１７ａ）（１７ｂ）と悉く溶接されているのである。しかも、上記連立フィンガープレート（Ｆａ）（Ｆｂ）における前プレート片（９ａ）（９ｂ）と後プレート片（１８ａ）（１８ｂ）との上端縁は、一連のフラットな路面を形作っている。その路面には通行車両の滑り止め用粗面（図示省略）を付与することが好ましい。
【００６４】
（１９ａ）（１９ｂ）はこのような連立フィンガープレート（Ｆａ）（Ｆｂ）の後プレート片（１８ａ）（１８ｂ）に開口分布された少なくとも１個づつの補強棒用貫通孔であり、ここには鉄筋やＰＣ鋼棒、ネジ杆などの補強棒（２０ａ）（２０ｂ）が串刺し状態に横架されることとなる。その補強棒（２０ａ）（２０ｂ）と後プレート片（１８ａ）（１８ｂ）との交叉部は、生産工場や施工現場において更に溶接することが好ましい。
【００６５】
上記起立フエイスプレート（５ａ）（５ｂ）と起立仕切りプレート（１７ａ）（１７ｂ）とを後打ちコンクリート用型枠として、その前後相互間へ後打ちコンクリート（Ｃａ）（Ｃｂ）が打設された施工時、その補強棒（２０ａ）（２０ｂ）が埋込みアンカーとして機能する。その補強棒（２０ａ）（２０ｂ）の太さは例えば約１６〜１９mmである。
【００６６】
更に、（２１ａ）（２１ｂ）は上記連立フィンガープレート（Ｆａ）（Ｆｂ）における１個おきでの広幅な左右相互間隔（Ｗ１）（例えば約１２５〜１３５mm）を保つ平行状態として、各起立仕切りプレート（１７ａ）（１７ｂ）の壁面から一定長さ（Ｌ）（例えば約２５０〜４５０mm）だけ後向き一体的に張り出された複数の延長プレートアンカーであり、その連立フィンガープレート（Ｆａ）（Ｆｂ）の上記後プレート片（１８ａ）（１８ｂ）と連続する一枚物をなしている。
【００６７】
つまり、上記起立フエイスプレート（５ａ）（５ｂ）と起立仕切りプレート（１７ａ）（１７ｂ）とを対比して示した図４から明白なように、各起立仕切りプレート（１７ａ）（１７ｂ）には起立フエイスプレート（５ａ）（５ｂ）の上記連立フィンガープレート受け入れ用凹欠（８ａ）（８ｂ）と合致する連立フィンガープレート受け入れ用凹欠（２２ａ）（２２ｂ）が、その上記１個おきでの広幅な左右相互間隔（Ｗ１）を保って対応形成されており、ここにも差し込み貫通された連立フィンガープレート（Ｆａ）（Ｆｂ）の後プレート片（１８ａ）（１８ｂ）から、これと連続一枚物の延長プレートアンカー（２１ａ）（２１ｂ）が一定長さ（Ｌ）だけ後向きに張り出しているのである。
【００６８】
しかも、その連立フィンガープレート（Ｆａ）（Ｆｂ）における後プレート片（１８ａ）（１８ｂ）並びに延長プレートアンカー（２１ａ）（２１ｂ）と、起立仕切りプレート（１７ａ）（１７ｂ）との組み付け状態にある交叉部は、やはり悉く溶接されている。その場合、起立仕切りプレート（１７ａ）（１７ｂ）の下端部も連立フィンガープレート（Ｆａ）（Ｆｂ）の下端縁から張り出す施工状態での脚座（２３ａ）（２３ｂ）として機能し、上記起立フエイスプレート（５ａ）（５ｂ）の脚座（７ａ）（７ｂ）と並列する２本脚を形作るようになっている。
【００６９】
又、上記延長プレートアンカー（２１ａ）（２１ｂ）は連立フィンガープレート（Ｆａ）（Ｆｂ）の後プレート片（１８ａ）（１８ｂ）と異なり、後打ちコンクリート（Ｃａ）（Ｃｂ）の打設により路面から埋没するものとして、その後プレート片（１８ａ）（１８ｂ）よりも低い背丈（約８０〜１８０mm）を備え、その上端縁に切り欠かれた鉄筋受け止め面（２４ａ）（２４ｂ）により、橋幅方向に沿って横架される水平な組立鉄筋（２５ａ）（２５ｂ）を受け止めることができるようになっている。
【００７０】
但し、このような鉄筋受け止め面（２４ａ）（２４ｂ）を延長プレートアンカー（２１ａ）（２１ｂ）の上端縁へ切り欠く代りに、その延長プレートアンカー（２１ａ）（２１ｂ）の板面へ上記水平な組立鉄筋（２５ａ）（２５ｂ）の通し込みトンネル（図示省略）を開口形成しても良い。その組立鉄筋（２５ａ）（２５ｂ）の太さは例えば約１６mm又は約１９mmである。
【００７１】
（２６ａ）（２６ｂ）はその鉄筋受け止め面（２４ａ）（２４ｂ）の切り欠きと相対して、上記延長プレートアンカー（２１ａ）（２１ｂ）の後端部から上向きに隆起する引き抜き抵抗凸片であり、連立フィンガープレート（Ｆａ）（Ｆｂ）の前プレート片（９ａ）（９ｂ）に輪荷重が作用した時の引き抜き抵抗を発揮する。
【００７２】
上記延長プレートアンカー（２１ａ）（２１ｂ）の後端縁同志をエンドバー（鋼板）（２７ａ）（２７ｂ）の溶接により連結一体化して、伸縮装置の運搬時や施工時における連立フィンガープレート（Ｆａ）（Ｆｂ）などの不正変形を防止することが好ましい。
【００７３】
尚、図示の実施形態では多数の連立フィンガープレート（Ｆａ）（Ｆｂ）を悉く同じ厚みの鋼板として、橋軸方向に沿い平行に延在させているが、その厚みの異なる連立フィンガープレート（Ｆａ）（Ｆｂ）を用意して、一車線での常習的な車両通行帯域には厚い連立フィンガープレート（Ｆａ）（Ｆｂ）を集中的に配列設置する一方、残余の帯域には薄い連立フィンガープレート（Ｆａ）（Ｆｂ）を配列設置するような組み合わせも可能である。
【００７４】
上記構成の荷重支持型伸縮装置を現場施工するに当っては、道路橋の床版（１）とアスファルト舗装面（２８）をその遊間（Ｓ）と対応位置する付近において、図２のような一定深さ（例えば約１５０〜２５０mm）の箱抜き形態に刳り取り、その箱抜き凹所（Ｇ）の内部へ一定な単位長さ（一車線分）の伸縮装置を吊り降ろしセットし、これをレベル出しと直線出しした状態に正しく接続固定する。
【００７５】
そして、予じめ床版（１）から起立している埋設鉄筋（図示省略）が、上記連立フィンガープレート（Ｆａ）（Ｆｂ）の後プレート片（１８ａ）（１８ｂ）や延長プレートアンカー（２１ａ）（２１ｂ）と万一干渉する場合には、その干渉する埋設鉄筋だけを切断して、その代りとなる差し筋アンカー（２９ａ）（２９ｂ）を床版（１）へ打ち込むと共に、上記延長プレートアンカー（２１ａ）（２１ｂ）へほぼ水平に横架させた組立鉄筋（２５ａ）（２５ｂ）と、床版（１）から起立する差し筋アンカー（２９ａ）（２９ｂ）や残余の埋設鉄筋とを、図１、２のように悉く立体交叉させて、その交叉部を溶接した後、上記箱抜き凹所（Ｇ）の内部へ後打ちコンクリート（Ｃａ）（Ｃｂ）を打設することにより、上記伸縮装置における連立フィンガープレート（Ｆａ）（Ｆｂ）の前プレート片（９ａ）（９ｂ）と後プレート片（１８ａ）（１８ｂ）だけが、後打ちコンクリート（Ｃａ）（Ｃｂ）と均一な路面となる表出状態に埋設一体化するのである。
【００７６】
その場合、連立フィンガープレート（Ｆａ）（Ｆｂ）の後プレート片（１８ａ）（１８ｂ）はその前プレート片（９ａ）（９ｂ）と同じ狭幅な一定の左右相互間隔（Ｗ）を保ち、起立フエイスプレート（５ａ）（５ｂ）と起立仕切りプレート（１７ａ）（１７ｂ）との前後相互間へ打設される後打ちコンクリート（Ｃａ）（Ｃｂ）により、そのほぼ水平に横架する補強棒（２０ａ）（２０ｂ）を埋込みアンカーとして、床版（１）へ固定一体化された状態にある。
【００７７】
しかも、このような後プレート片（１８ａ）（１８ｂ）との連続一枚物として、上記起立仕切りプレート（１７ａ）（１７ｂ）から後向き一体的に張り出す延長プレートアンカー（２１ａ）（２１ｂ）は、その連立フィンガープレート（Ｆａ）（Ｆｂ）における１個おきでの間引きされた並列状態として、その延長プレートアンカー（２１ａ）（２１ｂ）同志の隣り合う左右相互間隔（Ｗ１）を、上記前プレート片（９ａ）（９ｂ）同志や後プレート片（１８ａ）（１８ｂ）同志の隣り合う左右相互間隔（Ｗ）よりも広幅に確保している。
【００７８】
そのため、上記連立フィンガープレート（Ｆａ）（Ｆｂ）における前プレート片（９ａ）（９ｂ）同志の隣り合う左右相互間隔（Ｗ）を、二輪車のタイヤが嵌まり込む危険性のない５０mm、その連立フィンガープレート（Ｆａ）（Ｆｂ）の厚みを３２mm、上記差し筋アンカー（２９ａ）（２９ｂ）の太さを１６mm、使用される後打ちコンクリート（Ｃａ）（Ｃｂ）における粗骨材の最大寸法を２５mmであると仮定して言えば、その延長プレートアンカー（２１ａ）（２１ｂ）同志の隣り合う左右相互間隔（Ｗ１）は１３２mmとなり、その差し筋アンカー（２９ａ）（２９ｂ）の周囲に上記粗骨材の最大寸法（２５mm）の４／３倍以上となる５８mmの「あき」を確保することができる。
【００７９】
その結果、ここから振動機を支障なく挿入させて、後打ちコンクリート（Ｃａ）（Ｃｂ）を正常に締固めることができ、上記連立フィンガープレート（Ｆａ）（Ｆｂ）の路面となる前プレート片（９ａ）（９ｂ）が遊間（Ｓ）上において、繰り返し輪荷重を受けることにより、起立フエイスプレート（５ａ）（５ｂ）の上記脚座（７ａ）（７ｂ）を回動支点として前下がりに撓み変形し、後プレート片（１８ａ）（１８ｂ）や延長プレートアンカー（２１ａ）（２１ｂ）が引き抜かれる作用力に対して、効果的な抵抗力を発揮させ得るのである。
【００８０】
その意味から上記箱抜き凹所（Ｇ）をいたずらに深く刳り取る必要がなくなり、床版（１）を極力厚く残存させ得ることも、遊間（Ｓ）の伸縮量が長大な道路橋や主桁の連続する道路橋に適用して、著しく有益となる。
【００８１】
殊更、橋幅方向に沿って起立フエイスプレート（５ａ）（５ｂ）と平行に延在する起立仕切りプレート（１７ａ）（１７ｂ）の下端部を施工状態での脚座（２３ａ）（２３ｂ）とし、同じく起立フエイスプレート（５ａ）（５ｂ）の下端部をなす脚座（７ａ）（７ｂ）との言わば２本脚として、床版（１）へ支持させるならば、上記伸縮装置の耐荷力と耐久性がますます向上し、遊間（Ｓ）の伸縮量が長大な道路橋にふさわしい荷重支持型の伸縮装置を得られる。
【００８２】
次に、図８〜１２は本発明の第２実施形態を示しており、これが具備する特異な構成を要説すると、下記のとおりである。
【００８３】
即ち、第２実施形態の荷重支持型伸縮装置では、連立フィンガープレート（Ｆａ）（Ｆｂ）における後プレート片（１８ａ）（１８ｂ）の後端部を、起立仕切りプレート（１７ａ）（１７ｂ）と十字状に交叉する組み付け状態として、その起立仕切りプレート（１７ａ）（１７ｂ）の壁面から後向きに若干張り出すと共に、その交叉部を溶接することにより、組み付け強度の向上を図っている。
【００８４】
そのため、起立仕切りプレート（１７ａ）（１７ｂ）の連立フィンガープレート受け入れ用凹欠（２２ａ）（２２ｂ）は図１１のように、起立フエイスプレート（５ａ）（５ｂ）の連立フィンガープレート受け入れ用凹欠（８ａ）（８ｂ）と同じ狭幅な左右相互間隔（Ｗ）を保つ配置として対応形成すれば良い。
【００８５】
又、連立フィンガープレート（Ｆａ）（Ｆｂ）自身の一部として、その前・後プレート片（９ａ）（９ｂ）（１８ａ）（１８ｂ）との連続一枚物である延長プレートアンカー（２１ａ）（２１ｂ）の複数を上記起立仕切りプレート（１７ａ）（１７ｂ）の壁面から、その隣り合う同志の左右相互間隔（Ｗ２）が上記連立フィンガープレート（Ｆａ）（Ｆｂ）における２個おきでの一層広幅として、後向き一体的に張り出している。
【００８６】
しかも、スタッド鉄筋やスタッドボルトなどから成る補強用の追加スタッドアンカー（３０ａ）（３０ｂ）を、同じく起立仕切りプレート（１７ａ）（１７ｂ）の壁面から上記延長プレートアンカー（２１ａ）（２１ｂ）同志の隣り合う広幅な左右相互間隔（Ｗ２）をほぼ２等分する水平線上に沿って、後向きに張り出してもいる。その追加スタッドアンカー（３０ａ）（３０ｂ）の太さは例えば約１６〜１９mmである。
【００８７】
その場合、延長プレートアンカー（２１ａ）（２１ｂ）の上端縁をなす鉄筋受け止め面（２４ａ）（２４ｂ）と、その追加スタッドアンカー（３０ａ）（３０ｂ）の上端縁（外周面）とは図１２に示す如く、ほぼ同等高さ（Ｙ）となるように設置されており、橋幅方向に沿って横架されるほぼ水平な組立鉄筋（２５ａ）（２５ｂ）を、その下方から悉く安定裡に受け止め支持して、床版（１）の差し筋アンカー（２９ａ）（２９ｂ）とすばやく交叉させることができるようになっている。
【００８８】
更に、第２実施形態の場合両起立フエイスプレート（５ａ）（５ｂ）の止水材受け台（６ａ）（６ｂ）から吊り下がる止水材受け止めベルト（１２）の上端部を、帯状の押えプレート（１５ａ）（１５ｂ）とその点在分布するネジ締結具（１４ａ）（１４ｂ）との複数づつにより、上記止水材受け台（６ａ）（６ｂ）へ直かに挟み付け固定して、第１実施形態の特別なベルト支持ステー（１３ａ）（１３ｂ）を省略している。
【００８９】
このような第２実施形態の構成によれば、起立仕切りプレート（１７ａ）（１７ｂ）の壁面から延長プレートアンカー（２１ａ）（２１ｂ）の複数が、その連立フィンガープレート（Ｆａ）（Ｆｂ）における２個おきでの広幅な隣り合う左右相互間隔（Ｗ２）を保って、後向き一体的に張り出しているため、差し筋アンカー（２９ａ）（２９ｂ）の周囲に上記第１実施形態よりも広幅な「あき」を確保することができ、その結果延いては差し筋アンカー（２９ａ）（２９ｂ）を図８のような点在分布する２列として、一層数多く床版（１）へ打ち込めることとなり、伸縮装置としての耐荷力と耐久強度がますます向上する。
【００９０】
そして、このような効果の達成については、上記起立仕切りプレート（１７ａ）（１７ｂ）の壁面から後向き一体的に張り出された補強用の追加スタッドアンカー（３０ａ）（３０ｂ）も、有機的に働くこととなり、遊間（Ｓ）の伸縮量が長大であればある程、著しく有効であると言える。
【００９１】
尚、第２実施形態におけるその他の構成や施工法は、上記第１実施形態と実質的に同一であるため、その図８〜１２に図１〜７との対応符号を記入するにとどめて、その詳細な説明を省略する。
【００９２】
図１３、１４は本発明の第３実施形態を示しており、これに具備された特異な構成を要説すると、次のとおりである。
【００９３】
即ち、第３実施形態の荷重支持型伸縮装置では、上記第１実施形態のような連立フィンガープレート（Ｆａ）（Ｆｂ）との連続一枚物である延長プレートアンカー（２１ａ）（２１ｂ）の複数を、起立仕切りプレート（１７ａ）（１７ｂ）の壁面から後向き一体的に張り出すことに代えて、その連立フィンガープレート（Ｆａ）（Ｆｂ）と別個なスタッド鉄筋やスタッドボルトなどから成るスタッドアンカー（３１ａ）（３１ｂ）の複数を、同じく起立仕切りプレート（１７ａ）（１７ｂ）の壁面から一定長さ（Ｌ）だけ後向き一体的に張り出している。
【００９４】
この点、図１４には上記スタッドアンカー（３１ａ）（３１ｂ）をほぼ平行な上下２段として、起立仕切りプレート（１７ａ）（１７ｂ）の壁面から張り出しているが、箱抜き凹所（Ｇ）における深さとの関係上、その１段だけを張り出すにとどめても良い。そのスタッドアンカー（３１ａ）（３１ｂ）の太さは上記追加スタッドアンカー（３０ａ）（３０ｂ）のそれと同じである。
【００９５】
又、同じくスタッドアンカー（３１ａ）（３１ｂ）を図１３のような平面から見て、連立フィンガープレート（Ｆａ）（Ｆｂ）との言わば一直線に並列設置しているが、その隣り合う広幅な左右相互間隔（Ｗ２）が確保される限りでは、連立フィンガープレート（Ｆａ）（Ｆｂ）同志の隣り合う左右相互間に介在する対応位置関係のスタッドアンカー（３１ａ）（３１ｂ）を、上記起立仕切りプレート（１７ａ）（１７ｂ）の壁面から後向きに張り出してもさしつかえない。
【００９６】
このような第３実施形態の構成を採用する場合でも、図８〜１２の第２実施形態に説示した補強用の追加スタッドアンカー（３０ａ）（３０ｂ）を、上記延長プレートアンカー（２１ａ）（２１ｂ）に代るスタッドアンカー（３１ａ）（３１ｂ）と別個独立して、やはり起立仕切りプレート（１７ａ）（１７ｂ）の壁面から上記スタッドアンカー（３１ａ）（３１ｂ）同志の隣り合う広幅な左右相互間隔（Ｗ２）をほぼ２等分する水平線上に沿って、後向き一体的に張り出すことができる。
【００９７】
尚、第３実施形態におけるその他の構成は、上記第２実施形態と実質的に同一であるため、その図１３、１４に図８〜１２との対応符号を記入するにとどめて、その詳細な説明を省略する。
【００９８】
図１５〜１７は本発明の第４実施形態に係り、これが具備する特異な構成を要説すると、次のとおりである。
【００９９】
即ち、第４実施形態の荷重支持型伸縮装置では、やはり連立フィンガープレート（Ｆａ）（Ｆｂ）の前・後プレート片（９ａ）（９ｂ）（１８ａ）（１８ｂ）と連続する一枚物の延長プレートアンカー（２１ａ）（２１ｂ）を起立仕切りプレート（１７ａ）（１７ｂ）の壁面から、その複数の隣り合う左右相互間隔（Ｗ３）が上記連立フィンガープレート（Ｆａ）（Ｆｂ）における３個おきでの一層広幅として、後向き一体的に張り出しており、差し筋アンカー（２９ａ）（２９ｂ）の周囲に、上記第２実施形態よりも更に大きな「あき」を確保している。
【０１００】
そして、その第２実施形態と同様な補強用の追加スタッドアンカー（３０ａ）（３０ｂ）を、やはり起立仕切りプレート（１７ａ）（１７ｂ）の壁面から上記延長プレートアンカー（２１ａ）（２１ｂ）同志の隣り合う広幅な左右相互間隔（Ｗ３）をほぼ３等分する水平線上に沿って、後向き一体的に張り出すと共に、差し筋アンカー（２９ａ）（２９ｂ）も図１５のような点在分布する３列として、更に一層数多く床版（１）へ打ち込んでいる。
【０１０１】
その場合、延長プレートアンカー（２１ａ）（２１ｂ）の上端縁をなす鉄筋受け止め面（２４ａ）（２４ｂ）と、追加スタッドアンカー（３０ａ）（３０ｂ）の上端縁（外周面）とは上記第２実施形態と同様に、図１７のようなほぼ同等高さ（Ｙ）となるように設置されている。
【０１０２】
そのため、上記第２実施形態よりも遊間（Ｓ）の伸縮量が更に一層長大な道路橋用の伸縮装置として有効であり、ますます優れた耐荷力と耐久強度を得られる。
【０１０３】
又、第４実施形態の場合両起立フエイスプレート（５ａ）（５ｂ）から遊間（Ｓ）側への前向き一体的に張り出すほぼ水平な止水材受け台（６ａ）（６ｂ）同志が、その遊間（Ｓ）上でのオーバーラップする状態に保たれており、しかもその相互間に一定（例えば約２５〜３０mm）の高低段差（Ｚ）が与えられている。その止水材受け台（６ａ）（６ｂ）同志のオーバーラップ量としては、上記連立フィンガープレート（Ｆａ）（Ｆｂ）の前プレート片（９ａ）（９ｂ）同志が噛み合うオーバーラップ量（Ｘ）とほぼ等しく確保すれば良い。
【０１０４】
これによれば、両起立フエイスプレート（５ａ）（５ｂ）における上段位置の止水材受け台（６ａ）に受け止められる１層の１次止水材（１０）と、同じく下段位置の止水材受け台（６ｂ）に受け止められる別個な１層の２次止水材（１０）とを各々充填することができ、その重畳的な止水作用を達成し得るのであり、これらが遊間（Ｓ）へ抜け落ちるおそれはないため、上記第１〜３実施形態の止水材受けベルト（１２）を省略してもさしつかえない。
【０１０５】
図１６の符号（３２）は両止水材受け台（６ａ）（６ｂ）の上下相互間に介挿固定された止水材堰止め用シールであり、橋幅方向に沿って延在していることは言うまでもない。上記高低段差（Ｚ）を保つ両止水材受け台（６ａ）（６ｂ）は、起立フエイスプレート（５ａ）（５ｂ）へ溶接するほかに、これらを別個なアングル形状として複数づつのネジ締結具（図示省略）により、起立フエイスプレート（５ａ）（５ｂ）へ取り付け固定しても良い。
【０１０６】
尚、図１６から示唆されるように、起立仕切りプレート（１７ａ）（１７ｂ）の下端部を連立フィンガープレート（Ｆａ）（Ｆｂ）における後プレート片（１８ａ）（１８ｂ）並びに延長プレートアンカー（２１ａ）（２１ｂ）の下端縁と合致する据え付け高さとして、その施工状態での上記脚座（２３ａ）（２３ｂ）を省略することにより、起立フエイスプレート（５ａ）（５ｂ）の下端部だけが施工状態での脚座（７ａ）（７ｂ）となる言わば１本脚に設定しても良い。
【０１０７】
第４実施形態におけるその他の構成は上記第１、２実施形態と実質的に同一であるため、その図１５〜１７に図１〜１２との対応符号を記入するにとどめて、その詳細な説明を割愛する。
【０１０８】
又、図１８、１９は本発明の第５、６実施形態に係り、その両図に示す如く、一対の起立フエイスプレート（５ａ）（５ｂ）としては上記第１〜４実施形態のような鋼板へ、ほぼ水平な止水材受け台（６ａ）（６ｂ）を各々溶接する代りに、向かい合うアングル形鋼を採用し、その遊間（Ｓ）側への前向きに張り出す水平片を止水材受け台（６ａ）（６ｂ）として、その止水材受け台（６ａ）（６ｂ）同志を遊間（Ｓ）上でのオーバーラップ状態に保ち、且つその相互間に一定の高低段差（Ｚ）を与えると共に、施工状態のもとで機能する脚座（７ａ）（７ｂ）を両止水材受け台（６ａ）（６ｂ）の下面へ溶接しても良い。
【０１０９】
その場合、図１８の第５実施形態では上記第２実施形態の構成に準じて、連立フィンガープレート（Ｆａ）（Ｆｂ）と連続する一枚物の延長プレートアンカー（２１ａ）（２１ｂ）を、起立仕切りプレート（１７ａ）（１７ｂ）の壁面から後向き一体的に張り出しており、他方図１９の第６実施形態では上記第３実施形態に準じて、連立フィンガープレート（Ｆａ）（Ｆｂ）と別個なスタッド鉄筋やスタッドボルトなどから成るスタッドアンカー（３１ａ）（３１ｂ）を、やはり起立仕切りプレート（１７ａ）（１７ｂ）の壁面から上下２段として後向き一体的に張り出している。
【０１１０】
図１８、１９の符号（３３）は伸縮装置を寒冷地仕様とするため、上記起立仕切りプレート（１７ａ）（１７ｂ）における壁面の上部位置から一定の左右相互間隔を保つ複数として、後向き一体的に張り出された除雪作業車の刃先逃がし用誘導プレート（リブアンカー）であり、約１９mmの厚みを有する鋼板から成る。
【０１１１】
このような誘導プレート（３３）は上記第１〜４実施形態の伸縮装置についても、その起立仕切りプレート（１７ａ）（１７ｂ）の壁面へ同様に取り付け一体化することができる。更に、その誘導プレート（３３）における起立仕切りプレート（１７ａ）（１７ｂ）からの張り出し部は、上記延長プレートアンカー（２１ａ）（２１ｂ）又は／及びほぼ水平な組立鉄筋（２５ａ）（２５ｂ）と溶接されることになる。
【０１１２】
尚、第５実施形態におけるその他の構成は上記第２、４実施形態と実質的に同一であり、第６実施形態におけるその他の構成は上記第３、４実施形態と実質的に同一であるため、その図１８、１９に図８〜１７との対応符号を記入するにとどめて、これらの詳細な説明を省略する。
【０１１３】
更に、図２０〜２５は本発明の第７実施形態を示しており、これが具備する特異な構成を要説すると、次のとおりである。
【０１１４】
即ち、第７実施形態の荷重支持型伸縮装置では、上記連立フィンガープレート（Ｆａ）（Ｆｂ）の前プレート片（９ａ）（９ｂ）だけを断面ほぼエ字形として、その上端縁から路面となる天井フランジ（３４ａ）（３４ｂ）を左右両側への横向き一体的に張り出すと共に、起立フエイスプレート（５ａ）（５ｂ）の止水材受け台（６ａ）（６ｂ）よりも遊間（Ｓ）側への前向きに長く張り出す先端部の下端縁から、その止水材受け台（６ａ）（６ｂ）との重畳的な止水材受けになる床フランジ（３５ａ）（３５ｂ）を、やはり左右両側への横向き一体的に張り出している。
【０１１５】
その場合、前プレート片（９ａ）（９ｂ）における遊間（Ｓ）側への前向きに長く張り出す先端部の下端縁は、上記第１実施形態のそれと同じく、起立フエイスプレート（５ａ）（５ｂ）の止水材受け台（６ａ）（６ｂ）よりも一定高さ（Ｈ）だけ浮上する設置状態にあるが、その下端縁からは上記床フランジ（３５ａ）（３５ｂ）が左右両側へ張り出しているため、その上段位置に充填された１次止水材（１０）をますます安定良く受け止めることができ、これよりも下段位置の止水材受けベルト（１２）へ充填された別個な２次止水材（１０）と相俟って、やはり重畳的・耐用的な止水効果を達成し得るのである。
【０１１６】
又、上記前プレート片（９ａ）（９ｂ）の上端縁からは天井フランジ（３４ａ）（３４ｂ）が、やはり左右両側へ張り出しているため、これによって路面を広い一定幅（Ｔ）に拡大できるほか、上記１次止水材（１０）が路面から盛り上がるおそれも制止し得る効果がある。
【０１１７】
このような連立フィンガープレート（Ｆａ）（Ｆｂ）の断面ほぼエ字形をなす前プレート片（９ａ）（９ｂ）は、Ｈ形鋼をカット加工することにより容易に造形できるが、図２４、２５から示唆されるように、その前プレート片（９ａ）（９ｂ）の起立主体（ウエブ板）（３６ａ）（３６ｂ）となる一定厚み（例えば約１６〜２５mm）の鋼板へ、その天井フランジ（３４ａ）（３４ｂ）となる一定厚み（例えば約２２〜２５mm）並びに一定幅（例えば約３８mm）の別個な鋼板と、床フランジ（３５ａ）（３５ｂ）となる一定厚み（例えば約１６mm）並びに一定幅（例えば約３８mm）の別個な鋼板とを各々溶接することにより、全体的な断面ほぼエ字形に組み立て一体化することが好ましい。
【０１１８】
その連立フィンガープレート（Ｆａ）（Ｆｂ）における後プレート片（１８ａ）（１８ｂ）と延長プレートアンカー（２１ａ）（２１ｂ）が、上記前プレート片（９ａ）（９ｂ）の起立主体（３６ａ）（３６ｂ）と連続する一枚物であることや、起立フエイスプレート（５ａ）（５ｂ）に形成された連立フィンガープレート受け入れ用凹欠（８ａ）（８ｂ）が、図２３のような上記前プレート片（９ａ）（９ｂ）と対応する輪郭形状を呈することは、言うまでもない。
【０１１９】
上記のように前プレート片（９ａ）（９ｂ）を組み立てるならば、その起立主体（３６ａ）（３６ｂ）と天井フランジ（３４ａ）（３４ｂ）並びに床フランジ（３５ａ）（３５ｂ）となる鋼板の厚みや幅などを取捨選定（調整）することにより、遊間（Ｓ）における伸縮量の大小変化や車両通行量の多少（繰り返し輪荷重による疲労程度）などに対応することができ、その長大橋にふさわしく調整された耐荷力と耐久強度の荷重支持型伸縮装置を効率良く得られるのである。
【０１２０】
図２０、２１の符号（３７ａ）（３７ｂ）は比較的短かい鉄筋やネジ杆などから成る引き抜き抵抗棒の複数であり、このような引き抜き抵抗棒（３７ａ）（３７ｂ）を上記延長プレートアンカー（２１ａ）（２１ｂ）の板面へ、ほぼ水平な貫通状態に組み付け溶接するならば、連立フィンガープレート（Ｆａ）（Ｆｂ）が上記起立フエイスプレート（５ａ）（５ｂ）の脚座（７ａ）（７ｂ）を回動支点として、前下がりに撓もうとする曲げモーメント（引き抜き力）に対し、更に一層効果的な抵抗力を発揮させることができる。
【０１２１】
尚、第７実施形態におけるその他の構成は上記第１〜３実施形態と実質的に同一であるため、その図２０〜２５に図１〜１４との対応符号を記入するにとどめて、その詳細な説明を省略する。
【０１２２】
図２６〜３０は本発明の第８実施形態を示しており、これに具備された特異な構成を要説すると、下記のとおりである。
【０１２３】
即ち、第８実施形態の荷重支持型伸縮装置では、連立フィンガープレート（Ｆａ）（Ｆｂ）の前プレート片（９ａ）（９ｂ）だけを断面ほぼユ字形として、その上端縁から路面となる天井フランジ（３４ａ）（３４ｂ）を左右何れか片側への横向き一体的に張り出す一方、起立フエイスプレート（５ａ）（５ｂ）の止水材受け台（６ａ）（６ｂ）よりも前向きに長く張り出す先端部の下端縁から、その止水材受け台（６ａ）（６ｂ）との重畳的な止水材受けとなる床フランジ（３５ａ）（３５ｂ）を左右両側への横向き一体的に張り出している。
【０１２４】
そのため、図２０〜２５の上記第７実施形態と同様な効果を達成することができ、このような断面ほぼユ字形の前プレート片（９ａ）（９ｂ）もＨ形鋼のカット加工や、上記第７実施形態に準じた起立主体（ウエブ板）（３６ａ）（３６ｂ）と天井フランジ（３４ａ）（３４ｂ）並びに床フランジ（３５ａ）（３５ｂ）となる鋼板の複数から組み立て溶接することによって、断面ほぼユ字形に造形し得るのである。
【０１２５】
しかも、第８実施形態では図２７に示す如く、連立フィンガープレート（Ｆａ）（Ｆｂ）における前プレート片（９ａ）（９ｂ）の上端縁だけを天井フランジ（３４ａ）（３４ｂ）として、路面に表出させる一方、その後プレート片（１８ａ）（１８ｂ）と延長プレートアンカー（２１ａ）（２１ｂ）との背丈を低く相違変化させることにより、これらが後打ちコンクリート（Ｃａ）（Ｃｂ）の打設を受けて、箱抜き凹所（Ｇ）へ埋め込まれるようになっている。
【０１２６】
そのための起立仕切りプレート（１７ａ）（１７ｂ）に形成された連立フィンガープレート受け入れ用凹欠（２２ａ）（２２ｂ）は、図２９のような倒立Ｕ字形として、連立フィンガープレート（Ｆａ）（Ｆｂ）と連続する一枚物の延長プレートアンカー（２１ａ）（２１ｂ）を受け入れるようになっており、上記前プレート片（９ａ）（９ｂ）を受け入れるために対応形成された起立フエイスプレート（５ａ）（５ｂ）の連立フィンガープレート受け入れ用凹欠（８ａ）（８ｂ）とは、上下の逆向き開口形状をなしている。
【０１２７】
更に、第８実施形態の場合起立フエイスプレート（５ａ）（５ｂ）と起立仕切りプレート（１７ａ）（１７ｂ）との前後相互間には、図１〜７の第１実施形態に説示した補強棒（２０ａ）（２０ｂ）と異なる鋼板などの補強板（３８ａ）（３８ｂ）が、その連立フィンガープレート（Ｆａ）（Ｆｂ）の後プレート片（１８ａ）（１８ｂ）と交叉する横架状態に組み付け溶接されており、その格子構造によって強固な埋込みアンカーを形作っている。補強棒（２０ａ）（２０ｂ）に代る補強板（３８ａ）（３８ｂ）を採用しても良い趣旨である。
【０１２８】
尚、第８実施形態におけるその他の構成は上記第７実施形態と実質的に同一であるため、その図２６〜３０に図２０〜２５との対応符号を記入するにとどめて、その詳細な説明を割愛する。
【０１２９】
図３１は本発明の第９実施形態に係り、図１と対応する平面図であるが、これから明白なように、上記橋幅方向に沿って平行に延在する起立フエイスプレート（５ａ）（５ｂ）並びに起立仕切りプレート（１７ａ）（１７ｂ）と、橋軸方向に沿って平行に延在する多数の連立フィンガープレート（Ｆａ）（Ｆｂ）とを、非直角（例えば約６０度）の一定角度（θ）だけ交叉させた状態に組み立てることにより、伸縮装置をその一定角度（θ）が約９０度の上記第１〜８実施形態に示した通常の道路橋用のみならず、斜橋用としても実施することができる。
【０１３０】
その斜橋用の荷重支持型伸縮装置では、上記起立フエイスプレート（５ａ）（５ｂ）と起立仕切りプレート（１７ａ）（１７ｂ）並びに連立フィンガープレート（Ｆａ）（Ｆｂ）の後プレート片（１８ａ）（１８ｂ）が、平面視のほぼ平行四辺形に枠組み一体化される結果となる。その他の構成は上記第１実施形態と実質的に同一であるため、その図３１に図１〜７との対応符号を記入するにとどめて、その第９実施形態の詳細な説明を省略する。
【０１３１】
尚、図８〜３１の第２〜９実施形態に基いて、図１〜７の第１実施形態と異なる各種構成を説示したが、これらの特異な各種構成を適当に組み合わせ採用することにより、本発明の荷重支持型伸縮装置に仕上げることも勿論可能である。
【図面の簡単な説明】
【０１３２】
【図１】本発明に係る荷重支持型伸縮装置の第１実施形態を示す平面図である。
【図２】図１の２−２線断面図である。
【図３】図２の右半分を抽出して示す斜面図である。
【図４】図２の起立フエイスプレートと起立仕切りプレートとの対応位置関係を示す斜面図である。
【図５】図２の５−５線に沿う拡大断面図である。
【図６】図２の６−６線に沿う拡大断面図である。
【図７】図２の７−７線に沿う拡大断面図である。
【図８】本発明に係る荷重支持型伸縮装置の第２実施形態を示す平面図である。
【図９】図８の９−９線断面図である。
【図１０】図９の右半分を抽出して示す斜面図である。
【図１１】図９の起立フエイスプレートと起立仕切りプレートとの対応位置関係を示す斜面図である。
【図１２】図９の１２−１２線に沿う拡大断面図である。
【図１３】本発明に係る荷重支持型伸縮装置の第３実施形態を示す平面図である。
【図１４】図１３の１４−１４線断面図である。
【図１５】本発明に係る荷重支持型伸縮装置の第４実施形態を示す平面図である。
【図１６】図１５の１６−１６線断面図である。
【図１７】図１６の１７−１７線に沿う拡大断面図である。
【図１８】本発明に係る荷重支持型伸縮装置の第５実施形態を示す側断面図である。
【図１９】本発明に係る荷重支持型伸縮装置の第６実施形態を示す側断面図である。
【図２０】本発明に係る荷重支持型伸縮装置の第７実施形態を示す平面図である。
【図２１】図２０の２１−２１線断面図である。
【図２２】図２１の右半分を抽出して示す斜面図である。
【図２３】図２１の起立フエイスプレートを抽出して示す正面図である。
【図２４】図２１の２４−２４線に沿う拡大断面図である。
【図２５】図２１の２５−２５線に沿う拡大断面図である。
【図２６】本発明に係る荷重支持型伸縮装置の第８実施形態を示す平面図である。
【図２７】図２６の２７−２７線断面図である。
【図２８】図２６の起立フエイスプレートを抽出して示す正面図である。
【図２９】同じく起立仕切りプレートを抽出して示す正面図である。
【図３０】図２７の３０−３０線に沿う拡大断面図である。
【図３１】本発明に係る荷重支持型伸縮装置の第９実施形態を示す平面図である。
【符号の説明】
【０１３３】
（１）・コンクリート床版（橋桁）
（２）・橋台
（３）・主桁
（４）・シュー
（５ａ）（５ｂ）・起立フエイスプレート
（６ａ）（６ｂ）・止水材受け台
（７ａ）（７ｂ）（２３ａ）（２３ｂ）・脚座
（８ａ）（８ｂ）（２２ａ）（２２ｂ）・凹欠
（９ａ）（９ｂ）・前プレート片
（１０）・止水材
（１１ａ）（１１ｂ）・傾斜面
（１２）・止水材受けベルト
（１３ａ）（１３ｂ）・ベルト支持ステー
（１４ａ）（１４ｂ）（１６ａ）（１６ｂ）・ネジ締結具
（１５ａ）（１５ｂ）・押えプレート
（１７ａ）（１７ｂ）・起立仕切りプレート
（１８ａ）（１８ｂ）・後プレート片
（１９ａ）（１９ｂ）・貫通孔
（２０ａ）（２０ｂ）・補強棒
（２１ａ）（２１ｂ）・延長プレートアンカー
（２４ａ）（２４ｂ）・鉄筋受け止め面
（２５ａ）（２５ｂ）・組立鉄筋
（２６ａ）（２６ｂ）・引き抜き抵抗凸片
（２７ａ）（２７ｂ）・エンドバー
（２９ａ）（２９ｂ）・差し筋アンカー
（３０ａ）（３０ｂ）・追加スタッドアンカー
（３１ａ）（３１ｂ）・スタッドアンカー
（３２）・シール
（３３）・誘導プレート
（３４ａ）（３４ｂ）・天井フランジ
（３５ａ）（３５ｂ）・床フランジ
（３６ａ）（３６ｂ）・起立主体（ウエブ板）
（３７ａ）（３７ｂ）・引き抜き抵抗棒
（３８ａ）（３８ｂ）・補強板
（Ｃａ）（Ｃｂ）・後打ちコンクリート
（Ｆａ）（Ｆｂ）・連立フィンガープレート
（Ｓ）・遊間（継ぎ目）
（θ）・交叉角度
（Ｗ）（Ｗ１）（Ｗ２）（Ｗ３）・左右相互間隔
（Ｄ）・前後相互間隔
（Ｇ）・箱抜き凹所
（Ｈ）・浮上高さ
（Ｌ）・張り出し長さ
（Ｔ）・帯幅
（Ｘ）・オーバーラップ量
（Ｙ）・高さ
（Ｚ）・高低段差
【図１】
2009150156.tif 000003
【図２】
2009150156.tif 000004
【図３】
2009150156.tif 000005
【図４】
2009150156.tif 000006
【図５】
2009150156.tif 000007
【図６】
2009150156.tif 000008
【図７】
2009150156.tif 000009
【図８】
2009150156.tif 000010
【図９】
2009150156.tif 000011
【図１０】
2009150156.tif 000012
【図１１】
2009150156.tif 000013
【図１２】
2009150156.tif 000014
【図１３】
2009150156.tif 000015
【図１４】
2009150156.tif 000016
【図１５】
2009150156.tif 000017
【図１６】
2009150156.tif 000018
【図１７】
2009150156.tif 000019
【図１８】
2009150156.tif 000020
【図１９】
2009150156.tif 000021
【図２０】
2009150156.tif 000022
【図２１】
2009150156.tif 000023
【図２２】
2009150156.tif 000024
【図２３】
2009150156.tif 000025
【図２４】
2009150156.tif 000026
【図２５】
2009150156.tif 000027
【図２６】
2009150156.tif 000028
【図２７】
2009150156.tif 000029
【図２８】
2009150156.tif 000030
【図２９】
2009150156.tif 000031
【図３０】
2009150156.tif 000032
【図３１】
2009150156.tif 000033